(57)【要約】【課題】ロッカースイッチをスライドスイッチとして操作可能とし、操作ボタンの不時の反転動作も防止できるようにする。【解決手段】本発明は、パネルの開口に嵌合配置されて操作ボタンの両端側をシーソー式に交互に押すことで電気回路の接続・遮断を行うロッカースイッチに用いられる操作ボタン誤作動防止用ないしはスライド操作変換用アダプタである。要部は、パネル７上に突出されたロッカースイッチ１の上部側を覆うと共に操作ボタン５を露出する窓部１０ａを形成しているカバー１０と、カバー１０の内側に配置されると共に操作ボタン５に沿って摺動可能に支持されたスライダ９とを備え、スライダ９を操作ボタン５の一端側から他端側へ、他端側から一端側へ窓部１０ａを介して摺動すると、操作ボタン５がスライダ９を介して反転動作される構成である。【選択図】図３
2020071981.tif 000002
【特許請求の範囲】
【請求項１】
パネルの開口に嵌合配置されて操作ボタンの両端側をシーソー式に交互に押すことで電気回路などの接続・遮断を行うロッカースイッチに用いられるものであって、
前記パネル上に突出された前記ロッカースイッチの上部側を覆うと共に前記操作ボタンを露出する窓部を形成しているカバーと、前記カバーの内側に配置されると共に前記操作ボタンに沿って摺動可能に支持されたスライダとを備え、
前記スライダを前記操作ボタンの一端側から他端側へ、他端側から一端側へ前記窓部を介して摺動すると、前記操作ボタンが前記スライダを介して反転動作されることを特徴とするスライド操作変換用アダプタ。
【請求項２】
前記パネルに固定された状態で、前記スライダの両端を摺動可能に案内するガイド溝を両側内面に形成していると共に、前記カバーを取付可能なベースを有していることを特徴とする請求項１に記載のロッカースイッチのスライド操作変換用アダプタ。
【請求項３】
前記スライダは前記操作ボタンの立ち上がった一方端の表面に摺接する突起を裏面側に形成していることを特徴とする請求項１又は２に記載のロッカースイッチのスライド操作変換用アダプタ。
【発明の詳細な説明】
【技術分野】
【０００１】
本発明は、ロッカースイッチの操作ボタン誤動作防止に好適なスライド操作変換用アダプタに関するものである。
【背景技術】
【０００２】
ロッカースイッチは、スイッチパネル（筐体）に配置されて、操作ボタンの両端をシーソー式に交互に押すことで電気回路などの接続・遮断を行うスイッチであり、電気（子）機器の主電源用などとして多用されている。また、操作ボタンにはオン−オフ表示のほか、照光式としたものもある。ところで、ロッカースイッチにおいて、操作ボタンは、通常、操作ばね力が弱めに設定されていたり経時劣化によりばね力が低下した場合、比較的弱い押圧力を加えることにより操作ボタンが簡単に反転して接続・遮断してしまうことがあり、このような不時の操作あるいは事故（何らかの衝突や接触など）があると、例えば、不用意な電源オフ等による影響が極めて大きいものとなる。
【０００３】
以上の従来対策としては、特許文献１や２に開示されたカバー構成が提案されている。ここで、図５（ａ）は文献１のスイッチカバーを示している。このスイッチカバー５ａは、スイッチパネル２のうちシーソー式の操作ボタン（スイッチ部材）３の周囲部分を段差に形成し、その段差に片側ヒンジ部６を支点として開閉自在に付設され、また操作ボタン３の一端側、例えばオン４側のみが露出されるような位置に設けられた開口部７を有している。そして、スイッチカバー５ａの閉状態では、操作ボタン３の一端であるオン４側のみが露出され、操作ボタン３の他端であるオフ４ａ側が覆われて手などを接触できない閉じ状態となる。このため、この閉状態では、使用中に作業者が間違って操作ボタン３をオフにすることを防止でき、また、物品などを誤って操作ボタン３上に落としたような衝撃を加えたとしても、スイッチカバー５ａにより覆われている操作ボタン３のオフ４ａに対して余分な動作をしないよう保護可能となる。
【０００４】
図５（ｂ）は文献２のロッカースイッチ用保護カバーを示している。この保護カバー１００は、両端爪部１２０を除いて断面略コ字状であって、ロッカースイッチ３００の鍔部と、スイッチパネル（筐体）４００との間、つまりスペーサ２００の両側に設けられたスライド溝２１０に両端の対応する爪部１２０が嵌合され、操作ボタンに沿って摺動可能であり、操作ボタンの一部、例えば同図のごとく一端（第二押圧部３２０）側、又は他端（第一押圧部３１０）側を覆う構成である。要は、操作ボタンとして、一端（第二押圧部３２０）、又は、他端（第一押圧部３１０）を保護カバー１００により覆うため文献１と同様に覆われた方を押し操作不能にして誤作動を防止できる。
【先行技術文献】
【特許文献】
【０００５】
【特許文献１】特開２００２−２４５８８４号公報
【特許文献２】特開２０１２−１５０９７４号公報
【発明の概要】
【発明が解決しようとする課題】
【０００６】
上記した文献２の保護カバーでは、文献１のスイッチカバーに比べ保護カバーで覆う操作ボタンの端側を選択できる点で優れている。しかし、この保護カバーでは、操作ボタンの立ち上がった端側を覆っているだけなので、操作ボタンを反転動作させるには、保護カバーを同図に示された操作ボタンの一端側より他端側へ摺動操作して、操作ボタンの立ち上がった端側を露出させた状態で、その立ち上がった端側を押圧して反転させなければならず、操作手順が複雑化し、操作スイッチの切換操作性が悪くなる。
【０００７】
本発明は、以上のような背景から創意工夫されたものである。その目的は、既存のロッカースイッチに必要に応じ使用して、上記したような操作ボタンの誤動作防止にも有用に機能し、しかもシーソー式の操作ボタンを押し操作ではなくスライド操作によりオン（接続）・オフ（遮断）の切換作動を行えるようにするスライド変換用アダプタを提供することにある。他の目的は以下の内容説明のなかで明らかにする。
【課題を解決するための手段】
【０００８】
前記目的を達成するため本発明は、形態例を参考にして特定すると、パネル（７）の開口に嵌合配置されて操作ボタン（５）の両端側をシーソー式に交互に押すことで電気回路などの接続・遮断を行うロッカースイッチ（１）に用いられるものであって、前記パネル上に突出された前記ロッカースイッチの上部側を覆うと共に前記操作ボタン（５）を露出する窓部（１０ａ）を形成しているカバー（１０）と、前記カバーの内側に配置されると共に前記操作ボタンに沿って摺動可能に支持されたスライダ（９）とを備え、前記スライダを前記操作ボタンの一端側から他端側へ、他端側から一端側へ前記窓部を介して摺動すると、前記操作ボタンが前記スライダを介して反転動作（例えば、操作ボタンがシーソー式に反転、つまり操作ボタンの立ち上がっていた端側がスライダの摺接により押し下げられ、逆に操作ボタンの押し下げられていた側が立ち上がる作動）されることを特徴とするスライド操作変換用アダプタである。
【０００９】
以上の本発明は、請求項２や３で特定したように具体化されることがより好ましい。
（１）、前記パネルに固定された状態で、前記スライダの両端を摺動可能に案内するガイド溝を両側内面に形成していると共に、前記カバーを取付可能なベースを有している構成である（請求項２）。ここで、ベースは、パネルに対し形態例のごとくロッカースイッチを介して固定される構成に限られず、例えば、両面接着テープを介して接着したり、溶着、更にネジ等の止め具により固定するようにしてもよい。また、カバーは、ベースに対し取付可能（例えば、凹部及び凸部の係合構造で取り付ける）となっていることが好ましいが、例えば、パネルに対し両面接着テープを介して接着したり、溶着、更にネジ等の止め具により固定することも考えられる。
【００１０】
（２）、前記スライダは前記操作ボタンの立ち上がった一方端の表面に摺接する突起を裏面側に形成している構成である（請求項３）。この突起は、形態例のごとくスライダの裏面幅方向に延び、操作スイッチの立ち上がった側に線接触しつつ摺接することで良好な切換作動を得られるようにする。また、好ましくは、形態例のごとくスライダの表面中央に指当て用の凹部や窪み部を形成し、該凹部や窪み部に指を当ててスライダを摺動操作し易く構成することである。更に、他の構成としては、例えば前記ガイド溝の前端又は／及び後端に溝内に突出する小さな凸部を設けておき、スライダを摺動操作したときに摺動終点が凸部を介したクリック感で分かるようにしたり、凸部の存在により不用意に動かないようにすることである。これらは必要に応じて採用される。
【発明の効果】
【００１１】
請求項１の発明では、既存のロッカースイッチを何ら改変することなく、本発明のスライド操作変換用アダプタをアタッチメント式に付設するだけでスライドスイッチとして操作が可能となり、かつ不時の操作、事故などによる操作ボタンの反転動作を未然に防止できる。
【００１２】
請求項２の発明では、カバー及びスライダと共にベースからなり、ベースがパネル側に位置固定された状態で、ベースの両側内面に設けられたガイド溝に沿ってスライダを良好に摺動操作でき、また、カバーがベースに形態例のごとく係合構造などにより簡単に取付可能となる。
【００１３】
請求項３の発明では、操作ボタンに対するスライダの摺接面に線接触用の突起を設けることにより、摺動摩擦を高めることなくスライダの摺動操作を良好に維持できる。
【図面の簡単な説明】
【００１４】
【図１】既存のロッカースイッチと発明形態のスライド操作変換用アダプタの関係を示す分解斜視図である。
【図２】（ａ）は図１のａ−ａ線断面図、（ｂ）は図１のｂ−ｂ線断面図である。
【図３】上記アダプタのロッカースイッチへの組立状態を示す縦断面図である。
【図４】（ａ），（ｂ）は同組立状態における操作ボタンの反転状態を示す説明用斜視図である。
【図５】（ａ）は特許文献１に開示の構成図（図２）、（ｂ）は特許文献２に開示の構成図（図１）である。
【発明を実施するための形態】
【００１５】
以下、本発明に係るスライド操作変換用アダプタの形態例を図面を参照して説明する。この説明では、スライド操作変換用アダプタの構造を詳述した後、組立及び主な作動を利点と共に明らかにする。なお、スライド操作変換用アダプタの大きさは、適用するロッカースイッチに対応して作成されることになる。
【００１６】
（構造）図１から図３において、このスライド操作変換用アダプタＡは、ロッカースイッチ１に好適なアタッチメントであり、パネル７に設置されるベース８と、ベース８に摺動可能に支持されるスライダ９と、ベース８に連結支持された状態でロッカースイッチ１の上部側を覆うカバー１０とからなる。換言すると、形態例のアダプタＡは、ベース８、スライダ９、カバー１０の３つの部品の組合せからなるが、ベース８の機能をカバー１０に追加することでスライダ９及びカバー１０の２点構成とすることも可能である。パネル７は、各種機器類や装置本体などの筐体を構成して、ロッカースイッチ１のフランジ４より下側を嵌入する開口７ａを区画形成している。
【００１７】
ここで、ロッカースイッチ１は、市販品であり、筐体であるケース２と、ケース２の長手方向両端に突設された一対の取付用係止爪３と（図では片側のみを示す）、ケース２の上側に一体化された抜け止め用の矩形鍔状フランジ４と、フランジ４の表面にあってシーソー式に交互に片側が突出し、他方側がフランジ４と略面一となる操作ボタン５と、ケース２の下側に突設された一対の接続端子６（図では片側のみを示す）などを備えている。ケース２内のばね機構や接点部の構成などは既存とものと同じため省略する。
【００１８】
アダプタＡを構成しているベース８、スライダ９、カバー１０の材質は、何れもが樹脂成形体であるが、樹脂以外でも差し支えない。このうち、ベース８は、電気（子）機器の筐体を構成するパネル７の開口７ａの上縁周囲に配置されて、ロッカースイッチ１を構成しているケース２と共に固定される。すなわち、ベース８は、パネルの開口７ａよりやや大きめに形成されるとともに、フランジ４を受け止める長方形の枠体８ａと、枠体８ａの長手方向両側に一体に立設された一対の支持体８ｂと、各支持体８ｂの内側にそれぞれ形成されて左右対向しているガイド溝８ｃとを有している。両ガイド溝８ｃには、スライダ９の両端が摺動可能に嵌合支持される。
【００１９】
また、枠体８ａには、長手方向及び幅方向内側の下部に僅かな厚みの段差８ｄが設けられており、この段差８ｄの内側、つまりベース８の下端開口８ｅはケース２及びパネルの開口７ａの縦横寸法にほぼ等しく形成されている。更にベース８の長手方向両側外面には、前後略中間にカバー１０の内側に係合して抜け止めする係止爪８ｆが一体に突設されている。
【００２０】
スライダ９は、矩形板状をなし、裏面の前後中間部に突出されて操作ボタン５の表面に摺接して、操作ボタン５をシーソー式に反転させるための突起９ａを有している。この突起９ａは、スライダ９がガイド溝８ｃに沿って摺動するときに操作ボタン５の表面に対して線接触状態となることで摩擦抵抗を極力低減されるよう機能する。また、スライダ９は、表面中央部に設けられた指引っ掛け用の凹部９ｂを有している。この凹部９ｂは、スライド操作時の手がかりを与えたり、指を当ててスライダ９を動かし易くする。
【００２１】
カバー１０は、ロッカースイッチのフランジ４及びベース８の外周を覆う大きさの略矩形キャップ状をなし、中央部に設けられて操作ボタン５を露出する矩形の窓部１０ａと、長手方向の両側内面に設けられた係止凹部１０ｂとを有している。窓部１０ａは、操作ボタン５の幅及び長さ寸法に応じた大きさに開口されている。係合凹部１０ｂは、ベースの係止爪８ｆと係合可能となっている。なお、係止爪８ｆと係合凹部１０ｂは、互いに係合する関係であれば形状的に任意である。
【００２２】
（組立）次に、アダプタＡとして組み立てるときの手順例について説明する。組立要領は、まず、ベース８をパネルの開口７ａ縁上に位置決め配置した後、ロッカースイッチ１をベースの開口８ｅから開口７ａに嵌入操作する。具体的には、ベース８がパネル７に対し枠８ａの開口８ｅをパネルの開口７ａに一致させた状態に配置され、その状態からロッカースイッチのケース２を開口７ａ内に差し込む。すると、この例では、フランジ４が段差８ｄに着座し、同時に係止爪３の先端がパネル７の内面に当接することによりケース２は抜け止めされると共に、ベース８もパネル７上に固定される。
【００２３】
その後は、スライダ９がベースの両側ガイド溝８ｃに摺動可能に嵌入される。次に、カバー１０がベース８を覆うようにしてパネル７側に押し付けられると、ベースの各係止爪８ｆがカバー内側の対応する係止凹部１０ｂに弾発的に係合し、図３に示すようにカバー１０がパネル７上に固定されて組立が完了する。
【００２４】
（作動）以上のようにして組み立てられたアダプタＡは、操作ボタン５の一端側表面がスライダ９によって覆われ、図３及び図４（ａ）に示すように、他端側がカバーの窓部１０ａの一端に露出されている。この状態からスライダ９をガイド溝８ｃに沿って（矢印に示す）摺動操作することで、図４（ｂ）に示すように今度は他端側がスライダ９によって覆われ、逆側が窓部１０ａの他端に露出されることになる。
【００２５】
すなわち、このアダプタＡでは、ロッカースイッチ１の操作ボタン５をスライダ９を介して押し操作ではなく、スライドないしは摺動操作により電気回路などの接続・切断を切り換える。この構成では、当然のことながら操作ボタン５の平坦側はスライダ９によって反転規制されるため、不時のオン−オフ動作も確実に防止できる。付言すると、このアダプタＡは、図４（ａ）及び（ｂ）の状態において、従来のような操作ボタン５の誤動作防止に有用に機能し、シーソー式の操作ボタン５を押し操作ではなくスライドないしは摺動操作によりオン（接続）・オフ（遮断）の切換作動が行える。
【００２６】
なお、以上の形態例では操作対象であるロッカースイッチ１として操作ボタン５にオン−オフ標示を刻印しているが、照光式とすることも可能である。また、単極単投形としているが、双極双投形以上としても良いことは勿論である。更に、本発明は請求項で特定されるものであり、発明の名称についは製品化などにおいてスライド操作変換用アダプタに代えて、例えば、操作変換アダプタ、スライド変換アダプタ、操作切換アダプタなど適宜に変更されることもある。
【符号の説明】
【００２７】
１・・・・ロッカースイッチ（２はケース、３は係止爪、５は操作ボタン）
７・・・・パネル（７ａは開口）
８・・・・ベース（８ａは枠、８ｂは支持体、８ｃはガイド溝、８ｅは開口）
９・・・・スライダ（９ａは突起、９bは凹溝）
１０・・・カバー（１０ａは窓部、１０ｂは係止凹部）
Ａ・・・・スライド操作変換用アダプタ
【図１】
2020071981.tif 000003
【図２】
2020071981.tif 000004
【図３】
2020071981.tif 000005
【図４】
2020071981.tif 000006
【図５】
2020071981.tif 000007